(57)【要約】【課題】リライト用紙を、リライトプリンタの用紙発行口から円滑に排出する。【解決手段】本実施形態は、リライト用紙を１枚ずつ搬送し、リライト用紙に対して加熱による情報の消去をなした後、サーマル印字方式により情報の印字をなし、外部に排出するリライトプリンタにおいて、情報の印字をなしたリライト用紙の、外部への排出をガイドする補助ガイドを備えた。【選択図】    図１
2012171233.tif 000002
【特許請求の範囲】
【請求項１】
リライト媒体を１枚ずつ搬送し、前記リライト媒体に対して加熱による情報の消去をなした後、サーマル印字方式により情報の印字をなして、外部に排出するリライトプリンタにおいて、
情報の印字をなした前記リライト媒体の、外部への排出をガイドする補助ガイド手段を備えたことを特徴とするリライトプリンタ。
【請求項２】
内部に、熱により印字消去が可能な複数のリライト用紙を積層保持するハウジングと、
前記ハウジング内に備えられ、前記リライト用紙を順次１枚ずつ搬送し、ハウジングに設けられる用紙発行口からハウジング外部へ排出する用紙搬送手段と、
前記用紙搬送手段により搬送される前記リライト用紙に対して、加熱による情報の消去を行う消去手段と、
前記消去手段により情報が消去された前記リライト用紙に対し、サーマル印字方式により情報の印字を行う印字手段と、
前記用紙発行口に設けられ、リライト用紙の腰の強さおよび搬送長さ寸法に対応して調整可能に、リライト用紙のハウジング外部への排出をガイドする補助ガイド手段と、
を具備したことを特徴とするリライトプリンタ。
【請求項３】
前記印字手段は、サーマルプリンタヘッドと、このサーマルプリンタヘッドと対向配置されるプラテンローラとからなり、
前記用紙発行口は、前記印字手段を構成するサーマルプリンタヘッドとプラテンローラとの対向部位の近傍に設けられ、少なくともこの下端縁は、前記ハウジングの内部から外部に向かって斜め下方に傾斜する下端傾斜面である
ことを特徴とする請求項２記載のリライトプリンタ。
【請求項４】
前記補助ガイド手段は、前記用紙発行口の前記下端傾斜面に取付けられる
ことを特徴とする請求項３記載のリライトプリンタ。
【請求項５】
前記補助ガイド手段は、前記用紙発行口の前記下端傾斜面の傾斜長さと略同一の幅寸法で、一端部に長孔が設けられる長尺状の補助ガイド片と、前記補助ガイド片の前記長孔に補助ガイド片を締結自在に挿入される止め具とからなり、
前記リライト用紙に対するガイド不要時とガイド必要時に応じて、補助ガイド片を用紙発行口の下端傾斜面に沿って固定し、もしくは前記止め具を緩めて補助ガイド片の先端部をハウジング外部に突出させ、ハウジングからの最適な突出長さと、用紙発行口に対する最適な角度に調整した後、前記止め具で補助ガイド片を固定可能とした
ことを特徴とする請求項４記載のリライトプリンタ。
【請求項６】
前記補助ガイド片は、表面が平滑であるとともに薄肉であり、かつ弾性を有し、前記ハウジングから突出した位置に前記リライト用紙が載った状態で弾性変形する素材からなることを特徴とする請求項５記載のリライトプリンタ。
【発明の詳細な説明】
【技術分野】
【０００１】
本発明の実施態様は、リライトプリンタに関する。
【背景技術】
【０００２】
従来から、たとえばＩＤカードやプリペイドカードなどにおいて、情報を磁気記録により記録する方式が採用されている。しかるに、この種の磁気記録は、情報の記録性においては優れているものの、記録した情報を直接目視することは困難であり、カードの保持者にとって情報の確認ができない。
【０００３】
近年、印字情報をカードの表面に表示できるばかりでなく、消去し、書き換えが可能な可逆性を有する感熱記録媒体、いわゆるリライト媒体の実用化が進められている。リライトプリンタは、リライト媒体にある第１温度を加えて印字情報を消去し、この第１温度よりも低いか高い第２温度を加えて、リライト媒体に文字情報を印字する装置である。
【先行技術文献】
【特許文献】
【０００４】
【特許文献１】特開２００８−６６８６号公報
【発明の概要】
【発明が解決しようとする課題】
【０００５】
ところでリライト媒体は、各ユーザーが必要とする多種多様な厚み、長さ寸法および、幅寸法があるとともに、通常のサーマルプリンタで用いられる用紙よりも紙質が硬く、いわゆる腰が強い。そのため、リライト媒体の腰の強さと長さ寸法によっては、後端が印字部に引っ掛り、先端が用紙発行口に引っ掛って、停止状態となる不具合の発生がある。
【０００６】
このような事情から、リライト媒体をリライトプリンタの用紙発行口から円滑に排出できることが望まれていた。
【課題を解決するための手段】
【０００７】
本実施形態では、リライト媒体を１枚ずつ搬送し、前記リライト媒体に対して加熱による情報の消去をなした後、サーマル印字方式により情報の印字をなし、外部に排出するリライトプリンタにおいて、情報の印字をなした前記リライト媒体の、外部への排出をガイドする補助ガイド手段を備えた。
【図面の簡単な説明】
【０００８】
【図１】本実施形態に係る、リライトプリンタの外観斜視図。
【図２】同実施形態に係る、リライトプリンタの概略の構成図。
【図３】同実施形態に係る、リライトプリンタにおける用紙発行口の模式的な斜視図。
【図４】同実施形態に係る、リライトプリンタにおける印字部および用紙発行口の概略の構成図。
【図５】同実施形態に係る、リライトプリンタのリライト用紙排出を説明する図。
【図６】同実施形態に係る、リライトプリンタの用紙発行口に補助ガイドが備えられない場合の、リライト用紙の詰りを説明する図。
【図７】同実施形態に係る、図６からさらに進んだ状態の、リライト用紙の詰りを説明する図と、その一部を拡大した図。
【図８】同実施形態に係る、用紙発行口から補助ガイド片を突出させた状態での斜視図。
【図９】同実施形態に係る、用紙発行口から補助ガイド片を突出させたうえで、リライト用紙の排出を説明する図。
【図１０】同実施形態に係る、図９からさらに進んだ状態の、リライト用紙の排出を説明する図。
【図１１】同実施形態に係る、図１０における補助ガイドの状態を示す斜視図。
【発明を実施するための形態】
【０００９】
以下、本実施形態のリライトプリンタを図面にもとづいて説明する。  
図１は、リライトプリンタＲの外観斜視図であり、図２は、リライトプリンタＲの内部構成を概略的に示す図である。
【００１０】
リライトプリンタＲは、後方部分の左右幅寸法が、前方部分の左右幅寸法よりも狭い形態のハウジング１内に、後述する各構成部品を収容して構成される。ハウジング１の前面一側部（図１の左側部）には表示部２と操作部３が上下に並んで設けられ、操作部３の側部に隣接してハウジング１の幅方向に沿って用紙発行口４が設けられる。
【００１１】
前記表示部２は、横長に形成される液晶表示装置である。前記操作部３は、複数の運転切換えボタンおよび同数の表示灯を備えている。前記用紙発行口４は、上下方向に狭く、左右幅方向に長いスリット状の開口部であって、この用紙発行口４には、後述する補助ガイド（補助ガイド手段）５が取付けられている。
【００１２】
ハウジング１における幅の狭い後方部位の内部には、用紙収納部６および消去部（消去手段）７が収容され、ハウジング１における幅の広い前方部位の内部には、印字部（印字手段）８が収容される。さらに、ハウジング１の内部には、リライト媒体としてのリライト用紙Ｐを搬送する用紙搬送機構（用紙搬送手段）１０が設けられる。
【００１３】
前記用紙搬送機構１０は、用紙収納部６と用紙発行口４とを連通する用紙搬送路１０Ａを形成していて、その途中には、前記消去部７および印字部８がそれぞれ配置されている。したがって、消去部７の配置位置は用紙搬送路１０Ａにおける搬送上流側であり、印字部８の配置位置は用紙搬送路１０Ａにおける搬送下流側となる。
【００１４】
前記用紙収納部６は、昇降自在に設けられたリフタ６ａを主体に構成されていて、複数枚のリライト用紙Ｐを積層状態で載置し、リフタ駆動部（図示しない）によって駆動され、昇降自在である。このような用紙収納部６には、リフタ６ａに載置される最上位のリライト用紙Ｐを用紙搬送路１０Ａに給出する給紙機構１１が設けられる。
【００１５】
リライト用紙Ｐは、ユーザーによって紙質である、いわゆる腰の強さと、幅寸法と長さ寸法が様々なものが用いられるが、幅寸法と長さ寸法はリフタ６ａの平面寸法から自ずと設定される。また、リライト用紙Ｐは、情報の消去および印字を何度も繰り返して行うため、サーマルプリンタで用いられる用紙よりもある程度、腰の強いものが用いられる。
【００１６】
給紙機構１１は、ピックアップローラ１１ａと分離機構１１ｂから構成される。ピックアップローラ１１ａは、リフタ６ａ上の最上位のリライト用紙Ｐに給出力を付与する。分離機構１１ｂは、リライト用紙Ｐが重なり合って給出されたとき、下位のリライト用紙を分離し、最上位のリライト用紙のみを用紙搬送路１０Ａへ給出するよう作用する。
【００１７】
消去部７は、ヒートローラ７ａとプレスローラ７ｂから構成される。ヒートローラ７ａは用紙搬送路１０Ａの上方部位に配置され、電気ヒータを内蔵し用紙搬送路１０Ａを搬送されるリライト用紙Ｐを加熱する。プレスローラ７ｂは用紙搬送路１０Ａの下方部位に配置され、用紙搬送路１０Ａを介してヒートローラ７ａに弾性的に接するよう付勢される。
【００１８】
印字部８は、前記用紙発行口４の極く近傍部位に設けられ、用紙搬送路１０Ａを介して対向配置されるライン型のサーマルプリンタヘッド８ａとプラテンローラ８ｂを主体に構成されている。プラテンローラ８ｂはサーマルプリンタヘッド８ａに弾性的に接するよう付勢される。
【００１９】
前記用紙搬送機構１０は、所定間隔を存して複数対設けられた一対の搬送ローラ対１０ａを備えている。個々の搬送ローラ対１０ａは対向配置され、一方のローラが他方のローラに弾性的に接するよう付勢される。他方のローラは駆動機構（図示しない）に連結され、駆動されて回転し、一方のローラはこれに追従回転する。
【００２０】
さらに用紙搬送機構１０は、複数対の搬送ローラ対１０ａ相互間に一対の構造体をなす板状部材１０ｂが対向配置される。これら板状部材１０ｂは、ともに板状の板金によって形成され、互いの対向面間にリライト用紙Ｐが通過可能な間隙を存している。
【００２１】
ハウジング１内に、ハウジング１内部温度を検出する環境温度センサ、給紙機構１１からのリライト用紙Ｐの給出状態を検出する給紙センサ、用紙搬送路１０Ａにおけるリライト用紙Ｐの温度を検出する用紙温度センサ、印字部８に導かれるリライト用紙Ｐの状態を検出する用紙レジストセンサが備えられ、制御部（全て図示しない）に検出信号を送る。
【００２２】
このような概略構成のリライトプリンタＲであり、外部機器から印字指令をともなう印字データを受信すると、制御部は、各センサ類の出力信号を参照しながら各構成部品を駆動制御し、受信した印字データにもとづく消去動作と印字動作を実行する。
【００２３】
すなわち、リフタ駆動部を制御してリフタ６ａを上昇駆動し、最上位のリライト用紙Ｐをピックアップローラ１１ａに当接させる。つぎに制御部は、給紙機構１１を構成するピックアップローラ１１ａと分離機構１１ｂを駆動制御し、最上位のリライト用紙Ｐを用紙搬送路１０Ａに給出する。
【００２４】
そのリライト用紙Ｐが用紙搬送路１０Ａを搬送され、消去部７に至る最適のタイミングで、ヒートローラ７ａのヒータを発熱制御する。これにより、消去部７を通過するリライト用紙Ｐの画像形成側の表面が、ヒートローラ７ａによって加熱され、消去部７を通過した後の徐冷によって、リライト用紙Ｐに形成されていた画像が消去する。
【００２５】
画像が消去されたリライト用紙Ｐが印字部８に搬送される前に、制御部は印字部８に印字開始制御信号を送る。印字部８においては、受信した印字データにもとづき、サーマルプリンタヘッド８ａによるサーマル印字方式の印字を行う。プラテンローラ８ｂはリライト用紙Ｐをサーマルプリンタヘッド８ａに弾性的に押し付けて印字作用を助成する。
【００２６】
前記消去部７においてリライト用紙Ｐに対する加熱温度を、「第１の温度」とし、印字部８においてリライト用紙Ｐに対する加熱温度を、「第２の温度」とすると、第１の温度に対して第２の温度がはるかに高い。ただし、リライト用紙Ｐの紙質等の条件によっては、第１の温度に対して第２の温度が低い場合もあり得る。
【００２７】
いずれにしろ、リライト用紙Ｐに対するサーマル印字方式の印字を行った後の加熱後の冷却により、リライト用紙Ｐには受信した印字データにもとづく印字がなされる。そして、印字後のリライト用紙Ｐは補助ガイド５を取付けた用紙発行口４から外部へ排出され、発行がなされることとなる。
【００２８】
ここで、用紙発行口４から排出されるリライト用紙Ｐと、用紙発行口４に取付けられる補助ガイド５について詳述する。  
図３は、リライトプリンタＲにおける用紙発行口４の模式的な斜視図。図４は、リライトプリンタＲの印字部８および用紙発行口４の概略の構成図。図５は、リライトプリンタＲの用紙発行口４からリライト用紙Ｐを排出している状態を説明する図。
【００２９】
印字部８は、先に説明したようにサーマルプリンタヘッド８ａと、用紙搬送路１０Ａを介して対向配置されるプラテンローラ８ｂとからなる。図では、サーマルプリンタヘッド８ａとプラテンローラ８ｂとは間隙を存しているが、実際には、サーマルプリンタヘッド８ａがプラテンローラ８ｂの周面一部に、この軸方向に沿って弾性的に接触している。
【００３０】
用紙発行口４は、印字部８の近接で、サーマルプリンタヘッド８ａとプラテンローラ８ｂとの間の用紙搬送路１０Ａに対向して設けられ、上下方向に短く、左右幅方向に長い、スリット状に開口される。そして、上端縁および下端縁ともに、ハウジング１の内部から外部に向かって、斜めに拡大する方向に傾斜する傾斜面をなす。
【００３１】
少なくとも用紙発行口４の下端縁は、ハウジング１の内部から外部に向かって斜め下方に傾斜する下端傾斜面４ａとする必要がある。すなわち、印字部８から搬送されてきたリライト用紙Ｐの先端縁が用紙発行口４の下端縁に沿って滑り易く、外部へ円滑に排出するよう傾斜している。
【００３２】
これに対して用紙発行口４の上端縁４ｂは、必ずしも下端縁と対称的な傾斜面に形成することはなく、用紙搬送路１０Ａと平行な面に形成してもよい。ただし、ハウジング１の内部から外部に向かって斜め上方に傾斜する傾斜面とすることで、斜め上方からの目視による確認が、よりし易くなる。
【００３３】
前記補助ガイド５は、用紙発行口４の下端傾斜面４ａに取付けられる。この補助ガイド５は、用紙発行口４の下端傾斜面４ａと略同一の幅寸法で、一端部に長孔１３が設けられる長尺状の２枚の補助ガイド片５ａと、それぞれの補助ガイド片５ａの長孔１３に挿入される２個の止め具５ｂとからなる。
【００３４】
すなわち、用紙発行口４の下端傾斜面４ａには、用紙発行口４の左右幅方向の中心位置から左右に等間隔に振り分けられた位置にねじ孔が設けられ、それぞれのねじ孔に止め具５ｂの先端に形成されるねじ部（いずれも図示しない）が螺挿される。したがって、止め具５ｂは補助ガイド片５ａを下端傾斜面４ａに対して締結自在である。
【００３５】
前記補助ガイド片５ａは、表面が平滑であるとともに薄肉（たとえば、０．６ｍｍ程度）であり、かつ弾性を有する素材（たとえば、マイラー）からなる。通常、それぞれの補助ガイド片５ａは用紙発行口４の下端傾斜面４ａに沿った状態で取付けられ、止め具５ｂを介して固定されている。
【００３６】
ただし、止め具５ｂを緩めれば、補助ガイド片５ａは長孔１３の長さの範囲内で位置調整が可能であり、かつ用紙発行口４に対する角度と突出長さの調整が可能である。その状態で止め具５ｂを締結すれば、補助ガイド片５ａの位置姿勢を固定保持できる。
【００３７】
また、補助ガイド片５ａの一部を用紙発行口４から突出させた状態で、補助ガイド片５ａの用紙発行口４からの突出部分にリライト用紙Ｐが載る場合がある。このとき、リライト用紙Ｐの重心が補助ガイド片５ａにかかれば、補助ガイド片５ａは容易に弾性変形する柔軟性を備えている。
【００３８】
補助ガイド片５ａは、必ずしも２枚のものを備える必要は無く、１枚の補助ガイド片５ａのみであってもよく、３枚以上あってもよい。しかるに、後述するように、より微妙な調整を可能とするには、図示するように左右一対揃えて、センター合せで調整するのが最も望ましい。
【００３９】
この種のリライトプリンタＲにおいて、実際にリライト用紙Ｐを発行する前に、用いられるリライト用紙Ｐを用紙搬送路１０Ａに沿って試験的に搬送し、用紙発行口４から排出させる試験運転を行うと良い。  
リライト用紙Ｐの左右幅方向寸法が用紙発行口４から排出可能な範囲内であり、一般的な腰の強さと長さ寸法であるならば、図３に二点鎖線で示すように、また図５に実線で示すように、リライト用紙Ｐは用紙発行口４から円滑に排出される。
【００４０】
なお説明すると、印字部８を構成するサーマルプリンタヘッド８ａにプラテンローラ８ｂが接触する転接位置から、用紙発行口４を形成するハウジング１の内壁面までは所定距離（通常：３０〜４０ｍｍ）だけ離間している。  
リライト用紙Ｐの搬送後端ａがサーマルプリンタヘッド８ａとプラテンローラ８ｂとの転接位置を越えると、実質的にリライト用紙Ｐを搬送する手段が存在しない。したがって、本来、リライト用紙Ｐの搬送後端ａがサーマルプリンタヘッド８ａにプラテンローラ８ｂとの転接位置を越えた時点で、そのリライト用紙Ｐの搬送が停止するはずである。
【００４１】
しかるに、特に図５に示すように、リライト用紙Ｐの搬送長さ方向の先端ｂが下端傾斜面４ａと離間するとともに用紙発行口４から外部へ突出し、かつ重心Ｇ位置が下端傾斜面４ａの最高点ｍ位置を越えている。そのため、リライト用紙Ｐ自体が下端傾斜面４ａの傾斜角度に略沿った状態で自重落下し、用紙発行口４から自然的に、円滑に排出される。
【００４２】
このとき、リライト用紙Ｐに対して補助ガイド５は何らのガイド作用もなさない。その一方で、補助ガイド５を備えていないと、リライト用紙Ｐの腰の強さと長さ寸法によっては、この搬送後端ａがサーマルプリンタヘッド８ａとプラテンローラ８ｂとの転接位置を越えた位置で、リライト用紙Ｐの搬送が停止してしまう場合がある。  
図６は、用紙発行口４に補助ガイド５を備えていない場合の、リライト用紙Ｐ１の詰りを説明する図。図７（Ａ）は、図６からさらに進んだ状態の、リライト用紙Ｐ１の詰り例を説明する図。図７（Ｂ）は、その一部を拡大した図。
【００４３】
すなわち、図６に示すように、用紙発行口４に補助ガイド５を備えていない場合に、リライト用紙Ｐ１の搬送後端ａがサーマルプリンタヘッド８ａとプラテンローラ８ｂとの転接位置Ｔを越えた直後で、この搬送先端ｂが用紙発行口４の下端傾斜面４ａに載る状態がある。
【００４４】
このとき、リライト用紙Ｐ１の重心Ｇ位置が下端傾斜面４ａの最高点ｍ位置を越えてはいる。ただし、リライト用紙Ｐ１の腰の強さが用紙搬送機構１０の用紙搬送力とマッチングしてしまい、リライト用紙Ｐ１はほとんど硬直して、これ以上は直状に変形せず、もしくは屈曲状にも変形しない。
【００４５】
したがって、先頭のリライト用紙Ｐ１は印字部８と用紙発行口４との間で搬送が停止してしまう。用紙搬送機構１０は継続して作用しているので、後続のリライト用紙Ｐ２が搬送されてくる。ついには、図７（Ａ）に示すように、後続のリライト用紙Ｐ２の搬送先端が、停止しているリライト用紙Ｐ１の搬送後端に追突する。
【００４６】
そして図７（Ｂ）に示すように、リライト用紙Ｐ２の搬送先端ｂがリライト用紙Ｐ１の後端ａの下に潜り込み、双方の変形を招く。もしくは、サーマルプリンタヘッド８ａとプラテンローラ８ｂとの間に詰り（ジャム）、プラテンローラ８ｂの回転を止める。もしくは、リライト用紙Ｐ１が押され、斜め姿勢となって用紙発行口４から直下に脱落する。
【００４７】
いずれにしても、先に搬送されるリライト用紙Ｐ１が停止した時点で、早急に用紙搬送機構１０の搬送を停止しない限り、後続のリライト用紙Ｐ２との間で不具合発生が継続してしまう。したがって、搬送を停止し、それぞれのリライト用紙Ｐ１，Ｐ２を除去しなければならない。
【００４８】
補助ガイド５を備えていても、以上のような状態、もしくは、それに近い状態が試運転時にあったなら、以下のように対処する。  
図８は、用紙発行口４から補助ガイド５を突出させた斜視図。図９は、用紙発行口４から補助ガイド５を突出させたうえで、リライト用紙Ｐの排出を説明する図。図１０は、図９からさらに進んだ状態の、リライト用紙Ｐの排出を説明する図。図１１は、図１０における補助ガイド５を示す斜視図。
【００４９】
図８に示すように、補助ガイド５を構成する止め具５ｂを緩めて補助ガイド片５ａを回動し、この一端部を用紙発行口４から外部へ適宜な角度で斜めに突出させるとともに、止め具５ｂに対する長孔１３の位置を適宜定める。両方の補助ガイド片５ａをセンター合せの対称的な姿勢にして、同じリライト用紙Ｐの試験搬送を再開する。
【００５０】
図９に示すように、リライト用紙Ｐ１の搬送後端ａがサーマルプリンタヘッド８ａとプラテンローラ８ｂとの転接位置Ｔを越えた直後で、この搬送先端ｂが用紙発行口４の下端傾斜面４ａ上に載る。先と同様に、リライト用紙Ｐ１の腰の強さが用紙搬送機構１０の搬送力とマッチングして、硬直状態となる。
【００５１】
しかるに、ここではリライト用紙Ｐ１の搬送先端ｂが用紙発行口４を形成する下端傾斜面４ａに補助ガイド片５ａを介して載っている。補助ガイド片５ａは表面が平滑な素材であり、しかも下方に傾斜している下端傾斜面４ａに沿って取付けられているところから、ここに載ったリライト用紙Ｐ１の搬送先端ｂは補助ガイド片５ａ上を円滑に滑る。
【００５２】
リライト用紙Ｐ１全体が下端傾斜面４ａに沿って斜め下方に移動することとなり、この搬送後端ａがサーマルプリンタヘッド８ａとプラテンローラ８ｂとの転接位置Ｔからある程度離間する。それと同時に、リライト用紙Ｐ１搬送先端ｂは補助ガイド片５ａを介して下端傾斜面４ａの前端部である最低点ｎを越え、補助ガイド片５ａ上のみに載る。
【００５３】
図１０と図１１に示すように、さらに下方に移動したリライト用紙Ｐ１の重心Ｇが補助ガイド片５ａにかかる。リライト用紙Ｐ１の重量を受けた補助ガイド片５ａは容易に弾性変形し、下方に垂れる。この状態でリライト用紙Ｐ１の搬送後端ａは用紙発行口４の後端部である最高位置ｍ、もしくは、その前後位置にある。
【００５４】
リライト用紙Ｐ１は、より急に斜め下方向に向くことになり、用紙発行口４から円滑に自然落下する。このとき、つぎに搬送されるリライト用紙Ｐ２が先頭のリライト用紙Ｐ１と所定間隔を存した位置にあるが、このリライト用紙Ｐ２が先頭のリライト用紙Ｐ１に追突することはなく、不具合の発生も無い。
【００５５】
なお、用紙発行口４の下端傾斜面４ａに対する補助ガイド片５ａの位置と突出長さおよび突出角度を、１回だけの試験搬送で決定することは避けるべきである。いずれも、徐々に変化させて複数枚のリライト用紙Ｐの試験搬送を繰り返し、最も円滑に排出する位置姿勢を求めると良い。  
そのために、補助ガイド片５ａは長孔１３を備え、止め具５ｂを長孔１３に螺挿し、位置姿勢の調整が可能な構成となっている。
【００５６】
このように、腰の強さと、長さ寸法の、どのようなリライト用紙Ｐであっても、常に、確実に用紙発行口４から排出でき、用紙搬送路１０Ａに後続して搬送されるリライト用紙Ｐが追突することはなく、円滑な搬送性を確保できる。
【００５７】
なお、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５８】
Ｐ…リライト用紙（リライト媒体）、５…補助ガイド（補助ガイド手段）、１…ハウジング、４…用紙発行口、１０…用紙搬送機構（用紙搬送手段）、７…消去部（消去手段）、８…印字部（印字手段）、８ａ…サーマルプリンタヘッド、８ｂ…プラテンローラ、４ａ…下端傾斜面、５ａ…補助ガイド片、５ｂ…止め具。
【図１】
2012171233.tif 000003
【図２】
2012171233.tif 000004
【図３】
2012171233.tif 000005
【図４】
2012171233.tif 000006
【図５】
2012171233.tif 000007
【図６】
2012171233.tif 000008
【図７】
2012171233.tif 000009
【図８】
2012171233.tif 000010
【図９】
2012171233.tif 000011
【図１０】
2012171233.tif 000012
【図１１】
2012171233.tif 000013